(57)【要約】【課題】  処理液の持ち出しを防止する。【解決手段】  タンク11内のスラッジ含有処理液Ｗに第１磁気ドラム21を少なくともその外面下部が浸漬させ得るように配置する。同処理液Ｗに第２磁気ドラム22をその外面全体が浸漬させ得ないで、同外面周方向の一部が第１磁気ドラム21外面の周方向の一部に近接させ得るように配置する。両ドラム21、22の近接か所において、第１磁気ドラム21の外面に作用する磁気力よりも、第２磁気ドラム22の外面に作用する磁気力が大とする。第２磁気ドラム22の外面にスクレーパ61を具備させる。【選択図】  図１
2005058880.tif 000002
【特許請求の範囲】
【請求項１】
タンク11内のスラッジ含有処理液Ｗに第１磁気ドラム21が少なくともその外面下部を浸漬させ得るように配置されており、同処理液Ｗに第２磁気ドラム22がその外面全体を浸漬させ得ないで、同外面周方向の一部を第１磁気ドラム21外面の周方向の一部に近接させ得るように配置されており、両ドラム21、22の近接か所において、第１磁気ドラム21の外面に作用する磁気力よりも、第２磁気ドラム22の外面に作用する磁気力が大となされており、第２磁気ドラム22の外面にスクレーパ61が備えられているスラッヂ分離装置。
【発明の詳細な説明】
【技術分野】
【０００１】
この発明は、例えば、研削盤に使用されるクーラントのような処理液から、これに含まれるスラッジを分離する分離装置に関する。
【背景技術】
【０００２】
従来、この種の分離装置としては、タンク内のスラッジ含有処理液に磁気ドラムがその外面下部を浸漬させ得るように配置されており、磁気ドラムの外面に絞りローラおよびスクレーパが備えられており、磁気ドラムの外面に作用する磁力のパターンを様々に工夫して、ドラムに対するスラッジの吸着・分離効率を向上させようとしたものが知られている。
【０００３】
上記装置では、ドラムに対するスラッジの吸着・分離作用については、問題が無いが、加工をしていない時、スラッジの少ない時等は、処理液の持ち出しがある。すなわち、ドラム外面に付着した処理液が絞りローラによって絞られないで、スクレーパのところまで運ばれてしまい、そこからタンク外に排出されてしまうこととなる。
【特許文献１】特開平１０−０２４２４９号公報
【特許文献２】特開２００１−０２９８３８号公報
【発明の開示】
【発明が解決しようとする課題】
【０００４】
この発明の目的は、処理液の持ち出しを有効に防止することのできるスラッジ分離装置を提供することにある。
【課題を解決するための手段】
【０００５】
この発明によるスラッヂ分離装置は、タンク内のスラッジ含有処理液に第１磁気ドラムが少なくともその外面下部を浸漬させ得るように配置されており、同処理液に第２磁気ドラムがその外面全体を浸漬させ得ないで、同外面周方向の一部を第１磁気ドラム外面の周方向の一部に近接させ得るように配置されており、両ドラムの近接か所において、第１磁気ドラムの外面に作用する磁気力よりも、第２磁気ドラムの外面に作用する磁気力が大となされており、第２磁気ドラムの外面にスクレーパが備えられているものである。
【０００６】
この発明によるスラッヂ分離装置では、両ドラムの近接か所において、第１磁気ドラムの外面に付着したスラッジのみが第２磁気ドラムの外面に乗移り、同外面に付着した処理液は第１磁気ドラムの外面に付着したまま残される。したがって、処理液がスクレーパのところまで運ばれて、そこからタンク外に排出されることが無い。
【発明の効果】
【０００７】
この発明によれば、処理液の持ち出しを有効に防止することができる。
【発明を実施するための最良の形態】
【０００８】
この発明の実施の形態を図面を参照しながらつぎに説明する。
【０００９】
図１を参照すると、スラッジ分離装置は、処理液タンク11と、処理液タンク11内にそれぞれ配置されかつ互いに平行にのびた水平軸線をそれぞれ有している第１磁気ドラム21および第２磁気ドラム22とを備えている。
【００１０】
タンク11の右側壁の高さの中程には入口12が、その底壁の左端には出口13がそれぞれ設けられている。タンク11内には仕切板14が設けられている。仕切板14は、タンク11の底壁右縁部より左斜め上向きに立上がっている平板状部15と、平板状部15の上縁部に連なる上向き凹状の横断面円弧状屈曲部16とよりなる。屈曲部16の上縁を超える程度まで処理液Ｗがタンク11内に溜められている。処理液ＷにはスラッジＧが含まれている。
【００１１】
第１磁気ドラム21は、非磁性材料製水平円筒状第１ドラム本体31と、第１ドラム本体31内に配置されかつタンク11側に固定されている第１磁石41とよりなる。
【００１２】
第１ドラム本体31は、その外面の下部を屈曲部16上面と間隔を置いて相対させるように支持されかつ反時計方向に駆動されるようになっている。第１ドラム本体31外面の右上部分には弾性材料製第１絞りロール51が僅かな間隔をおいて臨ませられている。
【００１３】
第１磁石41は、概ね円筒状のもので、左斜め上部分に第１切欠41aを有しかつ第１ドラム本体31内面に対し一定間隔をおくように第１ドラム本体31と同心状に配置されている。第１切欠41aに対応する部分が乗移ステーションＳとなされている。
【００１４】
第２磁気ドラム22は、第１磁気ドラム21よりは小径であるが、第１磁気ドラム21と同様に、非磁性材料製水平円筒状第２ドラム本体32と、第２ドラム本体32内に配置されかつタンク11側に固定されている第２磁石42とよりなる。
【００１５】
第２ドラム本体32は、その外面の右下部分を、乗移ステーションＳにおいて、第１ドラム本体31外面の左斜め上部分に対し僅かな間隔をおいて相対させるように支持されかつ反時計方向に駆動されるようになっている。第２ドラム本体32外面の右上部分には弾性材料製第２絞りロール52が僅かな間隔をおいて臨ませられている。
【００１６】
第２磁石42は、左斜め上部分に第２切欠42aを有しかつ第２ドラム本体32内面に対し一定間隔をおくように第２ドラム本体32と同心状に配置されている。第２切欠42aと対応するように第２ドラム本体32外面にスクレーパ61がその先端部を摺接させている。
【００１７】
乗移ステーションＳに第１磁石41の第１切欠41aが存在することに対して、第２磁石42の第２切欠42aは乗移ステーションＳとは反対側にあって、乗移ステーションＳには第２磁石42の実体が存在することにより、乗移ステーションＳにおいて、第１ドラム本体31の外面に作用する磁気力よりも、第２ドラム本体32の外面に作用する磁気力が大となっている。
【００１８】
第１磁気ドラム21の下部を処理液Ｗに浸漬させた状態で、第１および第２磁気磁気ドラム21、22を反時計方向に回転させる。処理液Ｗに含まれたスラッジＧは、第１ドラム本体31の外面に吸引付着される。同外面には処理液Ｗも付着させられる。第１磁気ドラム21の回転にともない、第１ドラム本体31の外面に付着したまま処理液Ｗは、スラッジＧとともに第１絞りローラ51のところまて運ばれ、第１絞りローラ51によって絞り取られる。スラッジＧは第１絞りローラ51のところを通過し、乗移ステーションＳのところに至ると、上記した磁気力の大小の差によって、スラッジＧは、第１ドラム本体31外面から第２ドラム本体32外面に乗移る。
【００１９】
第２ドラム本体32外面に乗移ったスラッジＧは、第２磁気ドラム22の回転にともない、第２絞りローラ52のところに至る。スラッジＧとともに若干の処理液Ｗが第１ドラム本体31外面から第２ドラム本体32外面に乗移る可能性があるが、この処理液Ｗは第２絞りローラ52によって絞り取られる。スラッジＧがスクレーパ61のところに達すると、これをスクレーパ61が剥ぎ取る。剥ぎ取られたスラッジＧは、タンク11外の容器62に回収される。
【００２０】
図２に、変形例によるスラッジ分離装置が示されている。この変形例によるスラッジ分離装置において、図１に示すスラッジ分離装置と対応する部分には、同一の符号を付して、その説明は省略する。
【００２１】
この変形例によるスラッジ分離装置は、図１に示すスラッジ分離装置と同様に、処理液Ｗタンク11、第１磁気ドラム21および第２磁気ドラム22とを備えている。
【００２２】
第１磁気ドラム21は、第１ドラム本体31および第１磁石41よりなる。第１ドラム本体31外面にはこれの全面にわたって針状部71が設けられている。針状部71によって微細スラッジＧの補足が容易に行えるようになる。針状部71の代わりに、網状部を採用してもよい。第１絞りロール51に相当するものは不要である。第１磁石41は、その全周にわたって均一な厚みをもつ水平円筒状のもので、第１ドラム本体31の軸線に対して偏心させられていて、同軸線よりも乗移ステーションＳから遠ざかるところに軸線をもっている。
【００２３】
第２磁気ドラム22は、第２ドラム本体32および第２磁石42よりなる。第２ドラム本体32外面には第２絞りロール52およびスクレーパ61が備えられている。第２磁石42は、第１磁石41と同様に、その全周にわたって均一な厚みをもつ水平円筒状のもので、第２ドラム本体32の軸線に対して偏心させられているが、第１磁石41とは逆に、同軸線よりも乗移ステーションＳに近づくところに軸線をもっている。
【００２４】
乗移ステーションＳに対して、第１磁石41が遠ざけられ、第２磁石42が近づけられることにより、乗移ステーションＳにおいて、第１ドラム本体31の外面に作用する磁気力よりも、第２ドラム本体32の外面に作用する磁気力が大となっている。
【図面の簡単な説明】
【００２５】
【図１】この発明によるスラッジ分離装置の垂直横断面図である。
【図２】変形例によるスラッジ分離装置の垂直横断面図である。
【符号の説明】
【００２６】
11  タンク
21  第１磁気ドラム
22  第２磁気ドラム
61  スクレーパ
Ｗ  処理液
Ｇ  スラッジ
【図１】
2005058880.tif 000003
【図２】
2005058880.tif 000004